【事件の表示】
　平成１１年特許願第１０８１３６号「サブカード基板接続用コネクタ、サブカード基板およびこのコネクタを備えるコンピュータ」拒絶査定不服審判事件〔平成１２年１１月　２日出願公開、特開２０００−３０６６２０〕について、次のとおり審決する。
【結　論】
　本件審判の請求は、成り立たない。
【理　由】
１．手続の経緯
　本件出願は、平成１１年４月１５日の出願であって、原審において平成１６年１１月１９日付けで拒絶理由通知がなされ、平成１７年５月２３日付けで意見書及び手続補正書が提出されたが、平成１７年８月１日付けで拒絶査定（発送日：平成１７年８月９日）がなされ、この査定に対し、平成１７年１０月１３日付けで審判請求がなされ、同日付けで手続補正書が提出され、その後、平成２０年５月１４日付けで当審より拒絶理由通知がなされ、その指定期間内である平成２０年７月３０日に意見書及び手続補正書が提出されたものである。
　
　
　
２．本件の請求項１に係る発明
　そこで、本件の請求項１に係る発明（以下、「本件発明」という。）は、上記平成２０年７月３０日付け手続補正により補正された明細書及び図面の記載からみて、その特許請求の範囲の請求項１に記載された事項により特定される以下のとおりのものである。
「【請求項１】　種々の機能を有するサブカード基板を取り換え可能にメインカード基板に接続するための、前記メインカード基板に形成されたコネクタであって、
　前記サブカード基板の端面に形成された端子と接触し、前記サブカード基板を前記メインカード基板に対して傾斜してセットする電極パターンを有するコネクタ本体と、
　前記コネクタ本体の両端部から前記メインカード基板に沿って延在し、前記コネクタ本体に前記メインカード基板に対して斜めにセットされた前記サブカード基板を、その状態から前記サブカード基板を前記メインカード基板に沿うよう押し付ける際の反力を抑えて固定するラッチを有するラッチ支持部と、からなり、
　前記ラッチの前記サブカード基板の上面と対向する面に第１のＧＮＤ接続部を設け、前記サブカード基板を前記コネクタに接続した時、前記第１のＧＮＤ接続部と前記サブカード基板の上面に設けた電極とを接触させて前記サブカード基板の接地をとるとともに、前記サブカード基板の下面に対向するように前記ラッチ支持部に第２のＧＮＤ接続部を設け、前記サブカード基板を前記コネクタに接続した時、前記第２のＧＮＤ接続部と前記サブカード基板に設けた電極とを接触させて前記サブカード基板の接地をとることを特徴とするサブカード基板接続用コネクタ。」
　
　
　
３．平成２０年５月１４日付け拒絶理由通知で引用した刊行物
　刊行物１：特表平１０−５０２４８３号公報 
　刊行物２：特表平３−５０４１８０号公報 
　刊行物３：特開平７−１２１６７０号公報 
　
　
　
４．引用刊行物に記載された発明
（１）刊行物１に記載された発明
《記載事項》
　刊行物１には次のａ．〜ｈ．の記載がある。
ａ．「【特許請求の範囲】
１．回路基板との電気的接続を確立するコネクタにおいて、
  基板受容スロット及び回路基板の対応するコンタクトに接触するよう配置された複数の端子を具え、該端子は第１及び第２組のコンタクトに対応する少なくとも第１及び第２組に配置され、前記端子は回路基板が第１位置で前記スロット内に挿入されたとき前記第１組の端子が前記第１組のコンタクトに接触し、前記回路基板が前記第１位置から第２位置に回転されると、前記第２組の端子が前記第２組のコンタクトに接触するよう構成されていることを特徴とするコネクタ。
　　　　　　　　　　・・・・・
５．更に前記回路基板が前記第２位置のとき、前記回路基板の接地領域と接触するよう構成された
少なくとも１つの接地端子を具える
　
ｂ．「この発明は
プリント回路子基板をプリント回路親基板に結合する電気コネクタ
  カードエッジコネクタは子基板の回路トレースを親基板の嵌合する回路トレースに電気的接続する為に周知である。
子基板には
その端部（エッジ）には
回路基板のエッジに沿って形成されたコンタクト
　　　　　　　　　　・・・・・
　本発明は端子の中心線の各側に多数の端子を有する低挿入力のカードエッジコネクタ又はソケットを提供する。これら端子はいくつかが子基板の対応するコンタクトに他の端子が接触する前に接触し、これにより、最初に接触し最後に切断される端子接続を行うよう配置構成されている。
　本発明の１つの特徴は、高密度の多数の端子を有する
低挿入力型コネクタ
  本発明の他の特徴は、各端子中心線に多数の端子を有する低挿入力コネクタを提供することである。」（第３頁３行〜第５頁２行）
　
ｃ．「次に、本発明の実施形態を添付図を参照して説明する。尚、異なる図面中同様素子には同じ参照符号を使用する。
  図１は本発明によるコネクタの斜視図である。
  図２はこのコネクタの上面図である。
  図３はこのコネクタの正面図である。
  図４は図３の線４−４に沿う断面図である。
  図５は図４と同様の断面図であり、コネクタに直線状に回路基板が挿入され且つ
第１位置にある状態を示す
  図６は回路基板をある角度回転して
第２位置にした状態を示す
　図１乃至図４に示される本発明によるソケットコネクタは適当な誘電体材料で作られたハウジング１０を具える。このハウジング１０は子基板受容スロット１４を有し、このスロット１４はハウジング１０の両端１６、１８間に延びる長さを有する。このハウジング１０は各端子受容キャビティ内に挿入された複数の端子３０ａ、３０ｂ、３０ｃを保持し、これら端子はスロット１４内に受容される子基板上のコンタクトパッドと電気的に嵌合するよう配置される。これら複数の端子は少なくとも２組に配列され、子基板がスロット１４内に挿入されるにつれて、一組の端子が子基板の対応するコンタクトに接触し、その後残りの組の端子がコンタクトに接触するようにする。これらについての詳細は後述する。
  図示する好適実施形態においては、
複数の端子が直線状の３列ａ、ｂ、ｃに配列される。各列は夫々複数の端子３０ａ、３０ｂ、３０ｃを含み
  図示する実施形態において、
第１組の端子は列ａ、ｂに端子３０ａ、３０ｂを有し、
ハウジング１０内に固定される
  スロット１４は底面２２と対向する両側壁２４、２６により形成される。第１組の端子は側壁２４を介してスロット１４内に延び、底面２２から離間するコンタクト接触部３４ａを有する端子３０ａを含んでいる。第２組の端子は側壁２４を介してスロット１４内に延び、底面２２から第１組の端子の接触部３４ａよりも大きく離間している端子３０ｃを含んでいる。従って、端子３０ａ、３０ｃは底面２２から異なる距離でスロット１４内に延びる。
  また、第１組の端子は側壁２６を介してスロット１４内に延びるコンタクト接触部３４ｂを有する端子３０ｂを含んでいる。子基板をコネクタハウジング１０内に挿入すると、第１組の
端子３０ａ、３０ｂは子基板上のコンタクトの第１組と夫々接触し
　
ｄ．「
図５及び図６は
親基板６に取付けられている本発明のコネクタへの
図５において、子基板４は矢印で示す直線方向からスロット１４内に挿入され、第１位置にとどまる。子基板４の第１組のコンタクトはコンタクト４１、４２より成り、子基板４が第１位置にあるとき夫々端子３０ａ、３０ｂに接触している
子基板４と親基板６間で電源及び接地接続が先ず行われる
  
子基板４のコネクタハウジング１０内への挿入は子基板４を所定角度回転して図６に示す第２位置にすることにより完了する。これにより、コンタクト３０ａ、３０ｂは弾性的に撓む
  
このコネクタは子基板４を弾性的に撓められたコンタクト３０ａ、３０ｂ、３０ｃの反作用に対抗して第２位置に保持するラッチ手段を含んでいる
各ラッチ部材５０はカム面５６と肩５８を形成する突起を有する
子基板４を第１位置から第２位置へ回転する
子基板は肩５８と着座面６０間に止められる
  これに代って、ラッチ部材５０は薄いゲージ金属板の如き高強度且つ可撓性材料で作られハウジング１０に強固に取付けられた別部材であってもよい。
  タブ７４は指状の把持部材であり、ラッチ部材５０が外方に撓み、ラッチ部材５０との間のスペースを増加して子基板４が肩５８の後方から解放され、コネクタハウジング１０から抜去可能にする。
  子基板４はコネクタハウジング１０から挿入と逆の手順により抜去可能である。即ち、子基板を先ず図６に示す第２位置から図６に示す第１位置に回転し、次にコネクタから直線状に抜去する。この抜去中に、信号端子３０ｃは対応するコンタクト４３から先ず最初に接触が解かれ、その後電源及び接地端子３０ａ、３０ｂが対応するコンタクト４１、４２から非接触となる。よって、本発明は複数の端子を有し、それらの端子の一部が「最初に接触し最後に遮断」される電気的接続を行うよう構成配置されている。
  このコネクタは更に
子基板４がコネクタに完全に挿入されたとき、子基板４の接地コンタクト４４と接触するよう構成配置されたコンタクト接触部２１を有する接地端子２０を含んでもよい。この接地端子２０は半田付等により親基板６の接地面に電気的に接続してもよい
　
ｅ．図１〜６には、
ラッチ部材５０の下部に連結部５４を介して結合するハウジング１０の部分
が、このハウジング１０の両端１６、１８から夫々親基板６に沿って延びている
　
ｆ．図１及び図５には、
ハウジング１０の着座面６０先端にコンタクト接触部２１が、子基板４の下面に対向して設けられている
　
ｇ．図５には、矢印で示す直線方向からスロット１４内に挿入された子基板４が、この子基板に設けられたコンタクト４１、４２において、
夫々複数の端子３０ａ、３０ｂに接触し、親基板６に対して傾斜した第１位置にとどまる
　
ｈ．図６には、同図に示される
第２位置において、子基板４が親基板６に沿うように位置し、肩５８と着座面６０の間に止められるとともに、コンタクト接触部２１と接地コンタクト４４が接触する
　
　
　
《発明の認定》
　したがって、刊行物１には、
「子基板４を親基板６に接続する、前記親基板６に取付けられたコネクタであって、
　子基板４の端部（エッジ）に沿って形成されたコンタクト４１，４２，４３の内、コンタクト４１，４２（第１組のコンタクト）が、夫々複数の端子３０ａ、３０ｂ（第１組の端子）に接触し、子基板４が親基板６に対して傾斜した第１位置にとどまる、列ａ、ｂを形成する端子３０ａ、３０ｂを固定したコネクタハウジング１０と、
　このコネクタハウジング１０の両端１６、１８から夫々親基板６に沿って延び、前記コネクタハウジング１０に前記親基板６に対して傾斜した第１位置でとどまる子基板４を、その位置から子基板４が親基板６に沿うように位置する第２位置に回転することにより弾性的に撓められたコンタクト３０ａ、３０ｂ、３０ｃの反作用に対抗して第２位置に保持するラッチ部材５０に連結部５４を介して結合するハウジング１０の部分と、からなり、
　前記子基板４の下面に対向して、前記ラッチ部材５０が連結部５４を介して結合するハウジング１０の部分にコンタクト接触部２１を設け、子基板４がコネクタに完全に挿入され、第２位置とされたとき、この子基板４が肩５８と着座面６０の間に止められるとともに、前記コンタクト接触部２１と子基板４の接地コンタクト４４とが接触して子基板４を親基板６の接地面に電気的に接続する子基板４接続用低挿入力型電気コネクタ。」
という発明が記載されている。
　
　
　
（２）刊行物２に記載された発明
《記載事項》
　刊行物２には次のａ．〜ｇ．の記載がある。
ａ．「９．前記ラッチ手段（４０）が前記第１電気部品係合手段（４４）と前記第２電気部品係合手段間で電力と接地信号が伝送されるに必要な電気特性を有する材料から打ち抜き成形される事を特徴とする特許請求の範囲第８項の電気コネクタ（２）。
１０．前記第１電気部品（４）は前記第１電気部品手段（４４）を受容する開口（７０）が形成されたプリント回路板であり、前記第２電気部品（６）はその側端縁近傍に形成された
トレース（８０）を有するプリント回路カード
トレース（８０）と電気的接触し
前記プリント回路板（４）と前記プリント回路カード（６）間で電力及び接地信号が通過する導電路を形成する
　
ｂ．「本発明は電気コネクタに使用するラッチ手段に関する。特に、このラッチ手段はコネクタのハウジングに挿入可能で、対応する回路板と協働する。このラッチ手段は使用する回路板の大きな許容範囲を吸収するように形成されている。
　ドーターボードの接触面とマザーボードの接触領域間で電気的接続を行う種々の電気コネクタが知られている。一般に、コネクタはその中に位置決めされた複数の接触子を有し、各接触子はコネクタの第１の嵌合面から第２の嵌合面へ延びている。これら接触子はコネクタから伸長するポストを有し、マザーボードの接触領域と電気的接触する。次に、ドーターボードがコネクタに挿入され、その作動位置まで回転される。この回転により
接触子の接触凸部がドーターボードの接触面と接続する
　
ｃ．「第１図及び第２図には
低挿入力型電気コネクタ２を示す。このコネクタは電気的及び機械的にプリント板４をプリント板６に接続する
　この
コネクタ２は
接触子受容キャビティ１０を有する細長いハウジング８を具える
　第２図に示す如く、複数の接触子受容キャビティ１０はベース１２の頂面１４からベースの略底面１６へ延びる。このキャビティは互いに平行に間隔を空けてベース８の端部１８まで形成される。キャビティはボード受容開口２０と連通している。
キャビティ１０の正確な形状はその中に固定する接触子２２
　接触子２２はキャビティ１０内に配置される。各接触子は金属板ストックから製作され、所望の導電及び弾性特性を有する。コネクタに使用する特定の種類の接触子はここに引用した米国特許第４，７３７，１２０号に十分詳しく説明してある。
　第１図乃至第３図に最も良く示す如く、ベース８の端部１８に隣接してラッチ受容凹部２４がある。各ラッチ受容凹部２４はボード受容開口２０に接近させて設けられている。第１図及び第２図に示す如く、各ラッチ受容凹部２４は３つの側壁２６を有し、これら側壁はコネクタハウジングの上面２８からベースの底面１６へ延びている。第１図及び第２図に示す如く、凹部３２が側壁２６の１つに設けられ、ハウジングの上面２８からベース８の頂面１４へ延びる。ボード受容開口２０に近接して配置される第４の側壁３０（第３図）は、ハウジングの上面２８へ延びていない。
　ポスト受容開口３４はベース８の底面１６から凹部２４の底壁３６へ延びている。第３図に示す如く、ポスト受容開口３４は凹部２４の底壁３６に近接して設けた導入面３８を有する。」（第３頁右上欄１行〜左下欄５行）
　 
ｄ．「ラッチ部材４０はラッチ受容凹部２４に配置される。第７図に示す如く、各
ラッチ部材は金属板ストックから打ち抜かれ、所望の弾性且つ電気的特性を存する
　説明と理解を簡潔にする為に、ただ１個のラッチ部材４０について詳細に説明する。しかしながら、大半の応用では、１個以上のラッチ部材がコネクタに使用されることに注意することが重要である。第５図に示す如く、各ラッチ部材４０は弾性部４２及び取付け部４４を有する。弾性部４０はベース部４６を有し、ベース部には２個の端部を有する。弾性腕４８はベース部４６の第１端部から延びている。弾性腕はベース部４６の自由端から傾斜して延びる傾斜部５０を有する。中間部５２は傾斜部５０の端部からベース部４６に実質的に直角方向へ延びる。　ラッチ凸部５４は中間部５２の上面に設けてある。ラッチ凸部５４は中間部５２から実質的に中間部に直角方向に延びている。ボード端部受容開口５６はラッチ凸部５４に設けられており、詳細は後述する如くドーターボードがその中に挿入可能である。
　接触凸部５８は中間部５２の側線から延びラッチ凸部５４の端面を形成する。第１図及び第２図に示す如く接触凸部５８はコネクタのハウジングを超えて延び、技術者が接触凸部５８に接触出来るようにしてある。」（第３頁左下欄６行〜右下欄２行）
　
ｅ．「
コネクタがプリント板４に固定された状態で
ドーターカード６がボード受容開口２０に鋭角で配置される。次にドーターカード６は第１図及び第２図に示す位置まで回転されねばならない。この回転によりドーターカード６はラッチ凸部５４に係合する
弾性腕４８をコネクタの端部１８の方へ移動させる。弾性腕の弾性変形によりドーターカード６が回転運動を継続することを可能にする。カードがプリント板４に実質的に直角のとき、ドーターカード６はボード端部受容開口５６に入り、
　ドーターカード６をコネクタから取り外すには、技術者は接触凸部５８を係合させ、次にその凸部を端部１８の方へ移動する。これは第３図の２点鎖線で描く線で示す位置に弾性腕４８を移動させ、それによりドーターカード６が前述と反対方向に回転可能にする。」（第４頁左上欄１４行〜右上欄６行）
　
ｆ．「ここに記述したラッチ部材４０の最も大きな利点の１つは付与される電気的特性に関する。この小型化の時代においては、ボードの占有面積が貴重である場合、コネクタの占有面積が最小であることが必須である。従って、コネクタ内に配設される
接触端子は可能な限り少ないことが重要である。
通信信号のみをそこを通って伝送するだけの接触端子を設けることは非常に利点がある。換言すると電力及び接地の伝達は他の手段で付与される。本発明では、ラッチ部材４０の電気特性により電力及び接地はプリント板４からラッチ部材を経由してドーターカード６へ供給されうる。
　
ｇ．第１図及び第２図には、トレース８０が、
ラッチ部材４０の接触凸部５８側に位置するボード端部受容開口５６内面に接触する
　
　
《発明の認定》
　したがって、刊行物２には、
「プリント板４とドーターカード６とを接続する、プリント板４に固定されたコネクタ２であって、
　このコネクタ２が具えるハウジングのキャビティ１０には接触子２２が受容され、この接触子２２がドーターカード６の接触面と接続され、
　金属板ストックから打抜かれ成形されて所望の弾性且つ電気的特性を存するラッチ部材４０を有し、ドーターカード６がボード受容開口２０に鋭角で配置された後、回転され、ドーターカード６が前記ラッチ部材４０のラッチ凸部５４に係合し、弾性腕４８をコネクタの端部１８の方へ弾性変形により移動させ、ドーターカード６はプリント板４に実質的に直角のとき、前記ラッチ部材４０のボード端部受容開口５６に入ると共に、ドーターカード６の側端縁近傍に設けられたトレース８０が、ラッチ部材４０の接触凸部５８側に位置するボード端部受容開口５６内面に電気的に接触し、前記プリント板４と前記ドーターカード６間で接地信号が通過する導電路が形成される低挿入力型電気コネクタ２。」
という発明が記載されている
　
　
（３）刊行物３に記載された発明
《記載事項》
　刊行物３には次のａ．〜ｆ．の記載がある。
ａ．「【０００１】
【産業上の利用分野】本発明はＩＣ（集積回路）を含む電子カード、及びこの電子カードをプリント板に電気的に接続する
電子カード用コネクタ組立体
【０００２】
【従来の技術及びその問題点】自動車用のコンピュータ装置は一層一般的になってきている。このような装置は、
使用者（ユーザー）が個々の回路を取り付ける（インストールする）ことによって所定の機能が得られる
使用者が装置を小型のポータブルコンピュータとして利用したいときは、第１型式の回路がインストールされる。
使用者が大域位置確認システム（Global Positioning System)で進行方向を確認する為に用いるときは、第１型式の回路が取外され第２型式の回路がインストールされる。
【０００３】
現行のＰＣカードは
大きなデータ蓄積量及び入出力容量、ＬＡＮ、モデム及びその他の機能を有し、
ＰＣカードにより使用者はケースを開かないでも、メモリー、蓄積量、通信及び他のコンピュータの能力を増大させることができる。
　
ｂ．「【０００５】現在のカードの構造は完全に満足すべきものではないことが判ってきた。例えば、現在の68ピン接続は、将来の32ビット及び64ビットのバス等の高性能のカード機能に対しては十分ではない。現在の68ピン接続は信号が多重送信される場合にのみ32ビットバスに対応でき、それ故オーバーヘッド・タイム（むだ時間）を増大させる。接続部にエッジ（縁）の割合が増大する結果、十分な接地基準接触（ground reference contacts)がなされない為、信号の保全性の問題、即ちノイズが発生する。更に、カード上の現行のピンソケットの配列はカードソケットに埃が堆積することにより生じる汚染／損傷に晒される。このように、使用者がこの種のカードを書類カバンに入れて持ち運べば、書類カバン内の埃、及び糸くず等がカードソケット内に侵入することとなる。・・・また、接続するピンの極数が増大すれば、カードの挿入及び抜去に必要とする力も比例して増大する。
【０００６】従って、本発明の目的は200 乃至300 の多極の信号用コンタクト及び何個かの電源用及び接地用のコンタクトを有する埃が侵入しにくい電子カード、及び接続或いは接続解除に大きな力を必要としない電子カード用コネクタ組立体を提供することである。」（段落【０００５】及び【０００６】）
　
ｃ．「【００１１】図１は、本発明の電子カード10（以下、単にカードという）の平面図である。図１を参照して、
カード10は集積回路（以下、単にＩＣという）を保持する
【００１２】ハウジング12内の回路に電気的に接続された複数のコンタクトパッド26、28は第１主面の限定された領域（特定領域）に露出している。この様に、コンタクトパッド26、28は第１主面14上に直接存在してもよく、或いは
内部のプリント板にあって第１主面14の開口を通して露出してもよい
　 
ｄ．「【００１６】前述の
カード10は、プリント板52に電気的に接続されるのでなければ役立たない
ベース部材56は
プリント板52に固定される
電源及び接地用のコンタクト部材62はカード10の電源及び接地用のコンタクトパッド26に対応し
【００１７】コネクタ組立体50は、中空のケーシング66を含む。ケーシング66は略矩形の第１主面68、略矩形の第２主面70、この第１及び第２主面68、70を連結する４個の略矩形の側面72、74、76、78を有する。ケーシング66の内部は、カード10の少なくとも一部がその中に受容される寸法となっている。カード10のその部分はコンタクトパッド26、28を含む。カード10がケーシング66の内部に挿入可能にする為に、ケーシング66の側面72にカード10を受容するのに十分な寸法の開口80が形成されている。更に、ケーシング66の第１主面68は、開口82（図８参照）を有し、その開口82はカード10がケーシング66内に着座したときにコンタクトパッド26、28が開口82内にあるように寸法が決められ且つ位置決めがなされる。
【００１８】
カード10がケーシング66に挿入されたとき、
【００１９】
カード10のコンタクトパッド26、28とプリント板52のコンタクトパッド54とを相互接続する為に、ケーシング66はベース部材56に回動して
ケーシング66が回動されて
この回動後、ケーシング66に装着されたカード10のコンタクトパッド26、28は、各々コンタクト部材62、64と係合する
　
ｅ．図３〜５には、
電子カード10をプリント板52に対して傾斜して挿入する
　
ｆ．図６，７には、傾斜して挿入された電子カード10が
、回動された後、プリント板52に沿った位置とされる
　
　
《発明の認定》
　したがって、刊行物３には、
「小型のポータブルコンピュータ，大域位置確認システム，大きなデータ蓄積量及び入出力容量，ＬＡＮ，モデム及びその他の機能を有する、集積回路を保持し内部にプリント板を有する電子カード10を交換可能に、プリント板52に接続するための、プリント板52に固定される電子カード用コネクタ組立体５０であって、
　電子カード10をプリント板52に対して傾斜して挿入した後、これを回動し、回動後、プリント板52に沿った位置とし、カード10の電源及び接地用のコンタクトパッド26を電源及び接地用のコンタクト部材62に接続し、電子カード10をプリント板52に電気的に接続する電子カード用コネクタ組立体５０。」
という発明が記載されている。
　
　
　
　
５．対比・判断
（１）対比
イ．用語の対応
　本件発明と、刊行物１に記載された発明とを対比する。
　刊行物１に記載された発明における「子基板４」は、本件発明における「サブカード基板」に相当し、以下同様に「親基板６」は「メインカード基板」に、「子基板４の端部（エッジ）に沿って形成されたコンタクト４１，４２」は「サブカード基板の端面に形成された端子」に、「列ａ、ｂを形成する端子３０ａ、３０ｂ」は「電極パターン」に、「コネクタハウジング１０」は「コネクタ本体」に、「弾性的に撓められたコンタクト３０ａ、３０ｂ、３０ｃの反作用」は「反力」に、「対向して」は「抑えて」に、「ラッチ部材５０」は「ラッチ」に、「ラッチ部材５０が連結部５４を介して結合するハウジング１０の部分」は「ラッチ支持部」に、「コンタクト接触部２１」は「第２のＧＮＤ接続部」に、「子基板４の接地コンタクト４４」は「（第２のＧＮＤ接続部と接触する）サブカード基板に設けた電極」に、「子基板４を親基板６の接地面に電気的に接続する」は「サブカード基板の接地をとる」に、「子基板４接続用低挿入力型電気コネクタ」は「サブカード基板接続用コネクタ」にそれぞれ相当する。
　
　
ロ．一致点
　したがって、両発明は
「サブカード基板をメインカード基板に接続するための、前記メインカード基板に形成されたコネクタであって、
　前記サブカード基板の端面に形成された端子と接触し、前記サブカード基板を前記メインカード基板に対して傾斜してセットする電極パターンを有するコネクタ本体と、
　前記コネクタ本体の両端部から前記メインカード基板に沿って延在し、前記コネクタ本体に前記メインカード基板に対して斜めにセットされた前記サブカード基板を、その状態から前記サブカード基板を前記メインカード基板に沿うよう押し付ける際の反力を抑えて固定するラッチを有するラッチ支持部と、からなり、
　前記サブカード基板の下面に対向するように前記ラッチ支持部に第２のＧＮＤ接続部を設け、前記サブカード基板を前記コネクタに接続した時、前記第２のＧＮＤ接続部と前記サブカード基板に設けた電極とを接触させて前記サブカード基板の接地をとることを特徴とするサブカード基板接続用コネクタ。」
で一致する。
　
ハ．相違点
　そして、両発明は下記のＡ及びＢの２点で相違する。
　相違点Ａ：本件発明では、「
前記ラッチの前記サブカード基板の上面と対向する面に第１のＧＮＤ接続部を設け、前記サブカード基板を前記コネクタに接続した時、前記第１のＧＮＤ接続部と前記サブカード基板の上面に設けた電極とを接触させて前記サブカード基板の接地をとる
　
　相違点Ｂ：本件発明では、「
種々の機能を有する
取り換え可能に
　
　
　
（２）判断
（２）ー１　相違点Ａについての検討
イ．動機づけ
　刊行物１に記載された発明と刊行物２に記載された発明には、“子基板(ドーターカード)を基板(プリント板)に接続する、前記基板に取付けられたコネクタであって、子基板を回転させた後、接地接続する低挿入力型電気コネクタ”という技術分野の共通性がある。
　
ロ．接地接続する手段
　刊行物１に記載された発明では、子基板を回転させた後、子基板の接地コンタクト４４を、子基板４の下面に対向して設けられたコンタクト接触部２１に接触させて子基板４を接地接続している。
　刊行物２に記載された発明では、子基板(ドーターカード)を回転させた後、ドーターカード６の側端縁近傍に設けられたトレース８０を、ラッチ部材４０の接触凸部５８側に位置するボード端部受容開口５６内面に接触させて子基板４を接地接続している。
　
ハ．発明の組み合わせ
　上記イ．で述べたような技術分野の共通性があるので、刊行物１に記載された発明に、刊行物２に記載された発明の上記のようなトレース８０と（ラッチ部材４０の接触凸部５８側に位置する）ボード端部受容開口５６内面とを接触させる接地接続手段を組み合わせ、この接地接続手段に倣い、刊行物１に記載された発明の対応する箇所である（ラッチ部材５０の）肩５８において接地接続が行われるようにし、また肩５８が子基板４の縁部に接触する箇所にトレースを設けることに格別の困難性は認められない。
　また、このように刊行物１に記載された発明に、刊行物２に記載された発明の接地接続手段を組み合わせるにあたり、刊行物１に記載された発明に既に存在していた上記接地コンタクト４４とコンタクト接触部２１とによる接地接続手段を廃止せずにそのまま残し、２つの接地接続手段を共存させることは、刊行物１の特許請求の範囲第５項における「更に前記回路基板が前記第２位置のとき、前記回路基板の接地領域と接触するよう構成された
少なくとも１つの接地端子を具える
　さらに、上記のように刊行物１に記載された発明に、刊行物２に記載された発明の接地接続手段を組み合わせ、共存させれば、子基板４の接地コンタクト（トレース）は、子基板４の両面に設けられることになるが、接地用の電極を子基板の両面に設けることは周知の技術にすぎず、格別に困難な事項ではない。（周知文献としては、例えば、
　　　特開平６−５２９４０号公報（第５欄１２，１３行） 
 　 　特開平６−１２４７３９号公報（第４欄２，３行） 
 等を参照。）
　したがって、刊行物１に記載された発明に、刊行物２に記載された発明及び周知技術を適用して、相違点Ａにおける本件発明の特定事項に到達することは当業者であれば容易である。
　
　
（２）ー２　相違点Ｂについての検討
イ．動機づけ
　刊行物１に記載された発明と刊行物３に記載された発明には、“子基板(内部にプリント板を有する電子カード)を基板(プリント板)に接続する、前記基板に取付けられたコネクタであって、子基板を回転させた後、接地接続する電気コネクタ”という技術分野の共通性がある。
　
ロ．発明の組み合わせ
　上記のような技術分野の共通性があるので、刊行物１に記載された発明に刊行物３に記載された発明を組み合わせ、刊行物１に記載された発明の子基板４を、刊行物３に記載された発明における電子カード10のように「小型のポータブルコンピュータ，大域位置確認システム，大きなデータ蓄積量及び入出力容量，ＬＡＮ，モデム及びその他の機能を有する」ものとし、これを親基板６に交換可能に接続することに格別の困難性は存在しない。
　したがって、刊行物１に記載された発明に刊行物３に記載された発明を組み合わせ、相違点Ｂにおける本件発明の特定事項に到達することは当業者であれば容易である。
　
　
（２）−３　本件発明の効果についての検討
　本件発明の効果は、刊行物１ないし３に記載された発明及び周知の技術に基づいて、当業者が予測できたものである。
　
　
（３）まとめ
　このように、本件発明は、本願の出願前に国内において頒布された刊行物１ないし３に記載された発明及び周知の技術に基づいて、当業者が容易に発明をすることができたものであるから、特許法第２９条第２項の規定により、特許を受けることができない。
　
　
　
６．むすび
　以上のように、本件発明は、特許法第２９条第２項の規定により、特許を受けることができないものである。
　したがって、本件の請求項２ないし５に記載された発明については検討するまでもなく、本件出願は拒絶すべきものである。
　よって、結論のとおり審決する。